(57)【要約】【課題】バブルの大きさや数を広い範囲で調整することが可能で、かつ高い殺菌作用を有する洗浄水を出力可能なマイクロ・ナノバブル発生器及びそのマイクロ・ナノバブル発生器を用いた配管洗浄方法を提供する。【解決手段】給水口１１から給水された塩素イオンを含む水を電気分解することにより得られる電解水に気体を混合して、前記気体のマイクロ・ナノバブルを含んだ電解水を出水口１２から出力するマイクロ・ナノバブル発生器であって、給水口１１から出水口１２への水路方向に順に配置された第１の混合室１３と第２の混合室１４とを備え、第１の混合室１３および第２の混合室１４は、それぞれの水路の入口１３ａおよび１４ａと出口１３ｂおよび１４ｂとの間に、前記入口および前記出口よりも広い内部空間を有し、第１の混合室１３は、水路中に前記気体を送入する気体送入通路１５を備える。【選択図】図１
2019055373.tif 000002
【特許請求の範囲】
【請求項１】
給水口から給水される水に気体を混合して、前記気体のマイクロ・ナノバブルを含んだ水を出水口から出力するマイクロ・ナノバブル発生器であって、
前記給水口から出水口への水路方向に順に配置された第１の混合室と第２の混合室とを備え、前記第１の混合室および第２の混合室は、それぞれの水路の入口と出口との間に、前記入口および前記出口よりも広い内部空間を有し、前記第１の混合室は、前記水路中に前記気体を送入する気体送入通路を備え、
前記給水口から給水される水は、塩素イオンを含む水を電気分解することにより得られる電解水であって、前記出水口から前記気体のマイクロ・ナノバブルを含んだ電解水を出力することを特徴とするマイクロ・ナノバブル発生器。
【請求項２】
前記給水口に接続された電極ユニットを備え、該電極ユニットは、内部に給水路と該給水路中に設置された電極とを有し、前記給水路の入口から供給された水を電気分解して前記給水路の出口に接続された前記給水口に供給することを特徴とする請求項１に記載のマイクロ・ナノバブル発生器。
【請求項３】
請求項１に記載のマイクロ・ナノバブル発生器と、該マイクロ・ナノバブル発生器の前記給水口に設けた前記電解水を供給する給水手段と、前記マイクロ・ナノバブル発生器の前記気体送入通路へ気体を送入する気体送入手段とを備え、前記マイクロ・ナノバブル発生器の出水口に配管を接続し、前記マイクロ・ナノバブル発生器より出力する前記気体のマイクロ・ナノバブルを含んだ電解水により、前記配管を洗浄することを特徴とする配管洗浄方法。
【請求項４】
請求項２に記載のマイクロ・ナノバブル発生器と、該マイクロ・ナノバブル発生器の前記電極ユニットの前記給水路の入口に給水する給水手段と、前記マイクロ・ナノバブル発生器の前記気体送入通路へ気体を送入する気体送入手段とを備え、前記マイクロ・ナノバブル発生器の出水口に配管を接続し、前記マイクロ・ナノバブル発生器より出力する前記気体のマイクロ・ナノバブルを含んだ電解水により、前記配管を洗浄することを特徴とする配管洗浄方法。
【請求項５】
前記マイクロ・ナノバブル発生器の前記給水口に設けた給水用ノズルと、該給水用ノズルを収容して前記電解水を蓄えた洗浄ボトルとを有し、該洗浄ボトルに蓄えた電解水が前記給水用ノズルを経由して前記給水口に供給されるように構成されたことを特徴とする請求項３に記載の配管洗浄方法。
【請求項６】
前記洗浄ボトルは、電気分解用の電極を備え、該洗浄ボトル内で前記電解水を生成することを特徴とする請求項５項に記載の配管洗浄方法。
【請求項７】
電気分解用の電極を有する電気分解ユニットを前記洗浄ボトルへ取り付けて前記洗浄ボトル内において電解水を生成し、電解水の生成終了後に前記洗浄ボトルから前記電気分解ユニットを取り外すことを特徴とする請求項５に記載の配管洗浄方法。
【請求項８】
前記給水用ノズルは電気分解用の電極を備え、該電極によって前記洗浄ボトル内において電解水を生成し、電解水の生成終了後に該給水用ノズルを経由して前記給水口に電解水を供給することを特徴とする請求項５に記載の配管洗浄方法。
【請求項９】
前記マイクロ・ナノバブル発生器の前記電極ユニットの前記給水路の入口に接続された給水用ノズルと、該給水用ノズルを収容して給水用の水を蓄えた洗浄ボトルとを有し、該洗浄ボトルに蓄えた水が前記給水用ノズルと前記電極ユニットを経由して前記給水口に供給されるように構成されたことを特徴とする請求項４に記載の配管洗浄方法。
【請求項１０】
前記電極ユニットは前記マイクロ・ナノバブル発生器の前記給水口に接続された給水用ノズルと一体に構成され、該給水用ノズルを収容して給水用の水を蓄えた洗浄ボトルを有し、該洗浄ボトルに蓄えた水が前記給水用ノズルを経由して前記給水口に供給されるように構成されたことを特徴とする請求項４に記載の配管洗浄方法。
【請求項１１】
炭酸ガスの導入口と飲料の供給口とを有するディスペンスヘッドを飲料容器に取り付け前記炭酸ガスの圧力により飲料をディスペンサーに供給する飲料供給装置における前記ディスペンスヘッドから前記ディスペンサーの出力端のディスペンスバルブまでの飲料供給路の配管洗浄方法であって、
前記ディスペンスヘッドの前記飲料容器の取り付け側に着脱可能なヘッド接続部と、該ヘッド接続部に前記出水口を取り付けた前記マイクロ・ナノバブル発生器とを備え、前記洗浄ボトルは前記マイクロ・ナノバブル発生器及び前記給水用ノズルを収容して前記ヘッド接続部の下部に取付けられ、
前記炭酸ガスの導入口から供給された炭酸ガスを前記ヘッド接続部に設けられた炭酸ガス送出口より前記洗浄ボトル内に噴出させて、該洗浄ボトル内の炭酸ガスの圧力を高めることにより、前記給水用ノズルから前記マイクロ・ナノバブル発生器に給水するとともに、該マイクロ・ナノバブル発生器の前記気体送入通路に炭酸ガスを供給することにより炭酸ガスのマイクロ・ナノバブルを含む電解水からなる洗浄水を生成し、該洗浄水が前記飲料供給路を通過するように、前記マイクロ・ナノバブル発生器の前記出水口から前記ヘッド接続部に前記洗浄水を供給することを特徴とする請求項５乃至１０のいずれか１項に記載の配管洗浄方法。
【請求項１２】
前記洗浄ボトル内の炭酸ガスの圧力は０．２５〜０．４０ＭＰａであることを特徴とする請求項１１記載の配管洗浄方法。
【請求項１３】
前記電解水は添加物を加えていない水道水を電気分解することにより得られた電解水であることを特徴とする請求項３乃至１２のいずれか１項に記載の配管洗浄方法。
【請求項１４】
前記出水口を、前記気体のマイクロ・ナノバブルを含む電解水と前記気体とが混在した状態で通過し、前記出水口の断面積に占める前記マイクロ・ナノバブルを含む電解水と前記気体との割合が、時間的に３０％以上変動するように設定されていることを特徴とする請求項３乃至１３のいずれか１項に記載の配管洗浄方法。
【発明の詳細な説明】
【技術分野】
【０００１】
本発明は、給水された水に気体のマイクロ・ナノバブルを生成して混合し、出力するマイクロ・ナノバブル発生器及びそのマイクロ・ナノバブル発生器を用いた配管洗浄方法に関する。
【背景技術】
【０００２】
マイクロ・ナノバブルは、ある程度長い時間、水等の液体中に壊れないで存在する気泡であり、大きさが１μｍ〜１００μｍ程度のマイクロバブルと大きさが１μｍ以下のナノバブルの総称である。マイクロ・ナノバブルを含んだ水等を洗浄に用いると、微細な気泡の存在により汚れに対する高い洗浄力や殺菌作用などが得られることが知られている。マイクロ・ナノバブルを生成した水を用いることにより、特殊な洗浄剤や薬品などを使用しなくても洗浄が可能となるため、様々な分野で利用されている。
【０００３】
従来、マイクロ・ナノバブル発生器は、特許文献１、２に記載のように、水路中に幅を狭めた狭水路部分を設けて流速を大きくし、その狭水路部分で水路中に気体を混合してマイクロ・ナノバブルを発生する構成が主となっている。特許文献１では、狭水路部分に設けた気体吸引孔から気体を吸引してマイクロ・ナノバブルを発生させ、特許文献２では狭水路部分に側室を設けてキャビテーションを生じさせ、マイクロ・ナノバブルを発生させている。一方、特許文献３では螺旋水流を生じさせる構造を設けることによりマイクロ・ナノバブルを発生させている。また、特許文献４では、狭水路部分で水流に気体を巻き込んで回転させることによりマイクロ・ナノバブルを発生させている。
【先行技術文献】
【特許文献】
【０００４】
【特許文献１】特開２０１５−９３２１９号公報
【特許文献２】特開２００９−１３６８６４号公報
【特許文献３】特開２００９−２７４０４５号公報
【特許文献４】特開２０１３−６２６号公報
【発明の概要】
【発明が解決しようとする課題】
【０００５】
上記の従来の様々な構成のマイクロ・ナノバブル発生器では、それぞれの目的とする洗浄などの特定の用途に対して、マイクロ・ナノバブルの混入した水等を出力できるように設定されている。しかし、従来の装置では、生成されるバブルの大きさや数などは一定の範囲内にあり、ある程度の自由度をもってバブルの大きさや数などを調整することは難しかった。
【０００６】
一方、マイクロ・ナノバブルを含む水を様々な用途の洗浄に利用する場合、用途に応じてその洗浄水に含まれる最適なバブルの大きさや数などが異なる場合が多い。例えば、洗浄の対象物が工業製品である場合、または野菜などの自然食品等である場合、それらの種類によって最適な洗浄水の条件は異なる。さらに、配管内の洗浄を行う場合、配管の形状、配管に蓄積される汚れの種類などによっても条件は異なる。以上のように、マイクロ・ナノバブル発生器を様々な用途の洗浄に利用する場合、水に含まれる気体のバブルの大きさや数を広い範囲で調整できることが望ましい。さらに、飲料水等を扱う配管の洗浄においては高い殺菌作用を有する洗浄が望まれる。
【０００７】
そこで、本発明は、係る問題を解決するためになされたものであり、バブルの大きさや数を広い範囲で調整することが可能で、かつ高い殺菌作用を有する洗浄水を出力可能なマイクロ・ナノバブル発生器及びそのマイクロ・ナノバブル発生器を用いた配管洗浄方法を提供することを目的とする。
【課題を解決するための手段】
【０００８】
第１の観点では、本発明は、給水口から給水される水に気体を混合して、前記気体のマイクロ・ナノバブルを含んだ水を出水口から出力するマイクロ・ナノバブル発生器であって、前記給水口から出水口への水路方向に順に配置された第１の混合室と第２の混合室とを備え、前記第１の混合室および第２の混合室は、それぞれの水路の入口と出口との間に、前記入口および前記出口よりも広い内部空間を有し、前記第１の混合室は、前記水路中に前記気体を送入する気体送入通路を備え、前記給水口から給水される水は、塩素イオンを含む水を電気分解することにより得られる電解水であって、前記出水口から前記気体のマイクロ・ナノバブルを含んだ電解水を出力することを特徴とするマイクロ・ナノバブル発生器を提供する。
【０００９】
本観点の発明のマイクロ・ナノバブル発生器では、２つの混合室を備え、第１の混合室では主として気体送入通路から送入された気体を給水中に取り込み、第２の混合室では取り込まれた気体のバブルをさらに小さく粉砕してマイクロ・ナノバブルを生成する。このように、気体の取り込みとマイクロ・ナノバブルの生成を主として別の混合室で行うことにより、バブルの大きさや数の調整が可能となる。さらに、気体の圧力や気体送入口の構造などの選択により、第１の混合室において水と気体との混合比などを広い範囲で調整し、より大きなバブルを生成することが可能となる。これにより、１００μｍ以下の大きさのマイクロ・ナノバブルと１ｍｍ以上の大きさのバブルが混合したバブルを生成することができる。例えば、第１の混合室の内壁部にその間に隙間を介して結合する２つの構造体を備え、気体送入通路を第１の混合室の外壁部から内壁部に向かう穴により構成された気体送入口とその気体送入口に通ずる前記隙間とから構成し、その隙間の大きさを調整可能とすることにより、気体の導入口の大きさを詳細に調整することが可能となる。また気体の圧力と気体の導入口の大きさを調整することにより、給水中への気体の送入量を細かく調整することが可能となる。
【００１０】
さらに、塩素イオンを含む水を電気分解することにより得られる電解水を給水口に給水することにより、マイクロ・ナノバブルを含んだ電解水を出力することができる。この出力されたマイクロ・ナノバブルを含んだ電解水を洗浄に用いることにより、電解水とマイクロ・ナノバブルの相乗効果によって高い洗浄効果と高い殺菌作用の両者が同時に得られることが発明者らによって確認された。
【００１１】
第２の観点では、本発明は、前記第１の観点のマイクロ・ナノバブル発生器において、前記給水口に接続された電極ユニットを備え、該電極ユニットは、内部に給水路と該給水路中に設置された電極とを有し、前記給水路の入口から供給された水を電気分解して前記給水路の出口に接続された前記給水口に供給することを特徴とする。
【００１２】
本観点の発明のマイクロ・ナノバブル発生器では、電極ユニットの給水路の入口から塩素イオンを含んだ水、例えば水道水や食塩水などを供給し、電極ユニットの電極を外部の電源に接続して電圧を印加して給水路を通過する水を電気分解することにより、容易に本発明に用いる電解水を得ることができる。この場合、マイクロ・ナノバブル発生器の前記給水口に供給すべき電解水の水量を勘案して、給水路や電極の形状を選択することができる。
【００１３】
第３の観点では、本発明は、前記第１の観点のマイクロ・ナノバブル発生器と、該マイクロ・ナノバブル発生器の前記給水口に設けた前記電解水を供給する給水手段と、前記マイクロ・ナノバブル発生器の前記気体送入通路へ気体を送入する気体送入手段とを備え、前記マイクロ・ナノバブル発生器の出水口に配管を接続し、前記マイクロ・ナノバブル発生器より出力する前記気体のマイクロ・ナノバブルを含んだ電解水により、前記配管を洗浄することを特徴とする配管洗浄方法を提供する。
【００１４】
配管内の洗浄を行う場合、配管の形状、配管に蓄積される汚れの種類などによって、バブルの大きさや数、水と気体の混合比などを調整できることが望ましい。本発明のマイクロ・ナノバブル発生器を配管の洗浄に用いることにより、バブルの大きさや数、水と気体の混合比などを調整可能となり、様々な配管の洗浄を最適な条件で行うことが可能となる。さらに、マイクロ・ナノバブルを含んだ電解水を洗浄に用いることにより、電解水とマイクロ・ナノバブルの相乗効果によって高い洗浄効果と高い殺菌作用の両者が同時に得られる。
【００１５】
第４の観点では、本発明は、前記第２の観点のマイクロ・ナノバブル発生器と、該マイクロ・ナノバブル発生器の前記電極ユニットの前記給水路の入口に給水する給水手段と、前記マイクロ・ナノバブル発生器の前記気体送入通路へ気体を送入する気体送入手段とを備え、前記マイクロ・ナノバブル発生器の出水口に配管を接続し、前記マイクロ・ナノバブル発生器より出力する前記気体のマイクロ・ナノバブルを含んだ電解水により、前記配管を洗浄することを特徴とする配管洗浄方法を提供する。本観点の発明は、第３の観点の発明と比較すると、配管洗浄のために給水する水は電解水でなくとも、例えば水道水や食塩水などを供給することができ、より広範な配管洗浄の用途に適用しやすい。
【００１６】
第５の観点では、本発明は、前記第３の観点の配管洗浄方法において、前記マイクロ・ナノバブル発生器の前記給水口に設けた給水用ノズルと、該給水用ノズルを収容して前記電解水を蓄えた洗浄ボトルとを有し、該洗浄ボトルに蓄えた電解水が前記給水用ノズルを経由して前記給水口に供給されるように構成されたことを特徴とする。本観点の発明では、電解水を蓄えた洗浄ボトルを備え、その電解水中にマイクロ・ナノバブル発生器の給水口に取り付けた給水用ノズルを差し込み、その給水用ノズルを経由してマイクロ・ナノバブル発生器に電解水を供給し、マイクロ・ナノバブルを含んだ電解水を生成して出水口に接続された配管を洗浄する。給水用ノズルに電解水を送る手段としては、例えば、洗浄ボトルを密閉してその中の気体の圧力を高めるか、または給水用ノズルに電解水を送り込む機能を有するポンプなどを用いることができる。
【００１７】
第６の観点では、本発明は、前記第５の観点の配管洗浄方法において、前記洗浄ボトルは、電気分解用の電極を備え、該洗浄ボトル内で前記電解水を生成することを特徴とする。本観点の発明では、最初に洗浄ボトルに入れる水は、電解水でなくとも、例えば水道水や食塩水などであってもよく、その水を電気分解して電解水を生成した後、配管の洗浄に用いればよい。上記の電気分解用の電極は外部の電源に接続して電圧を印加するための電極端子を有している。
【００１８】
第７の観点では、本発明は、前記第５の観点の配管洗浄方法において、電気分解用の電極を有する電気分解ユニットを前記洗浄ボトルへ取り付けて前記洗浄ボトル内において電解水を生成し、電解水の生成終了後に前記洗浄ボトルから前記電気分解ユニットを取り外すことを特徴とする。本観点の発明に用いる電気分解ユニットの構成は、洗浄ボトル内の洗浄水に接触する電気分解用の電極を有するものであればよく、例えば、洗浄ボトルへの給水口から挿入して取り付け、取り外し可能な構成や、給水口以外に挿入個所を設けた構成であってもよい。上記の電気分解ユニットは外部の電源に接続して電圧を印加するための電極端子を有している。
【００１９】
第８の観点では、本発明は、前記第５の観点の配管洗浄方法において、前記給水用ノズルは電気分解用の電極を備え、該電極によって前記洗浄ボトル内において電解水を生成し、電解水の生成終了後に該給水用ノズルを経由して前記給水口に電解水を供給することを特徴とする。本観点の発明に用いる給水用ノズルは、洗浄ボトル内に挿入したときに洗浄水に接触する部分に電気分解用の電極を有するものであればよい。上記の電気分解用の電極は外部の電源に接続して電圧を印加するための電極端子を有している。
【００２０】
第９の観点では、本発明は、前記第４の観点の配管洗浄方法において、前記マイクロ・ナノバブル発生器の前記電極ユニットの前記給水路の入口に接続された給水用ノズルと、該給水用ノズルを収容して給水用の水を蓄えた洗浄ボトルとを有し、該洗浄ボトルに蓄えた水が前記給水用ノズルと前記電極ユニットを経由して前記給水口に供給されるように構成されたことを特徴とする。本観点の発明では、給水用の水を蓄えた洗浄ボトルを備え、その中に電極ユニットの給水路の入口に取り付けた給水用ノズルを差し込み、その給水ノズルおよび電極ユニットを経由してマイクロ・ナノバブル発生器に電解水を供給し、マイクロ・ナノバブルを含んだ電解水を生成して出水口に接続された配管を洗浄する。すなわち、電極ユニットを給水用の水が通過するときに電気分解され、電解水としてマイクロ・ナノバブル発生器に供給される。給水用ノズルに給水用の水を送る手段としては、例えば、洗浄ボトルを密閉してその中の気体の圧力を高めるか、または給水用ノズルに給水用の水を送り込む機能を有するポンプなどを用いることができる。
【００２１】
第１０の観点では、本発明は、前記第４の観点の配管洗浄方法において、前記電極ユニットは前記マイクロ・ナノバブル発生器の前記給水口に接続された給水用ノズルと一体に構成され、該給水用ノズルを収容して給水用の水を蓄えた洗浄ボトルを有し、該洗浄ボトルに蓄えた水が前記給水用ノズルを経由して前記給水口に供給されるように構成されたことを特徴とする。本観点の発明でも、第９の観点の発明と同様に、給水用の水を蓄えた洗浄ボトルを備え、その中に給水用ノズルを差し込み、その給水ノズルを経由してマイクロ・ナノバブル発生器に電解水を供給し、マイクロ・ナノバブルを含んだ電解水を生成して出水口に接続された配管を洗浄する点は同じである。但し、本観点の発明では、電極ユニットが給水用ノズルと一体に構成されることにより給水用ノズルは電極ユニットの機能を備えており、給水ノズルを給水用の水が通過するときに電気分解され、電解水としてマイクロ・ナノバブル発生器に供給される。
【００２２】
第１１の観点では、本発明は、前記第５乃至台１０の観点の配管洗浄方法において、炭酸ガスの導入口と飲料の供給口とを有するディスペンスヘッドを飲料容器に取り付け前記炭酸ガスの圧力により飲料をディスペンサーに供給する飲料供給装置における前記ディスペンスヘッドから前記ディスペンサーの出力端のディスペンスバルブまでの飲料供給路の配管洗浄方法であって、前記ディスペンスヘッドの前記飲料容器の取り付け側に着脱可能なヘッド接続部と、該ヘッド接続部に前記出水口を取り付けた前記マイクロ・ナノバブル発生器とを備え、前記洗浄ボトルは前記マイクロ・ナノバブル発生器及び前記給水用ノズルを収容して前記ヘッド接続部の下部に取付けられ、前記炭酸ガスの導入口から供給された炭酸ガスを前記ヘッド接続部に設けられた炭酸ガス送出口より前記洗浄ボトル内に噴出させて、該洗浄ボトル内の炭酸ガスの圧力を高めることにより、前記給水用ノズルから前記マイクロ・ナノバブル発生器に給水するとともに、該マイクロ・ナノバブル発生器の前記気体送入通路に炭酸ガスを供給することにより炭酸ガスのマイクロ・ナノバブルを含む電解水からなる洗浄水を生成し、該洗浄水が前記飲料供給路を通過するように、前記マイクロ・ナノバブル発生器の前記出水口から前記ヘッド接続部に前記洗浄水を供給することを特徴とする。
【００２３】
本観点の発明は、飲食店等で使用されるビール等のディスペンサーの洗浄に本発明を適用する場合の構成であり、簡単な工程でディスペンスヘッドからディスペンスバルブまでの配管内を十分に洗浄し、かつ殺菌も行うことが可能な飲料供給経路の配管洗浄方法を提供するものである。ヘッド接続部を介して、飲料を供給する場合の飲料容器と同様にディスペンスヘッドに取り付け可能とした電解水または洗浄用の水を入れた洗浄ボトルを備えている。炭酸ガス送出口より炭酸ガスを洗浄ボトル内に噴出させて、洗浄ボトル内の炭酸ガスの圧力を高めることにより、洗浄ボトルに電解水が蓄えられているときは給水用ノズルからマイクロ・ナノバブル発生器にその電解水を給水するとともに、マイクロ・ナノバブル発生器の気体送入通路に炭酸ガスを供給する。洗浄ボトルに洗浄用の塩素イオンを含む水が蓄えられ、給水ノズルとマイクロ・ナノバブル発生器の間に電極ユニットを有するとき、または電極ユニットが給水ノズルと一体に構成されているときは、電極ユニットで電解水を生成してマイクロ・ナノバブル発生器にその電解水を供給する。本観点の発明では、従来のディスペンサーの通水洗浄に用いられているのと同様な洗浄ボトルを使用でき、さらに、マイクロ・ナノバブルを含んだ電解水を用いることにより洗浄力および殺菌力を従来に比べ大幅に高めることができる。
【００２４】
第１２の観点では、本発明は、前記第１１の観点の配管洗浄方法において、前記洗浄ボトル内の炭酸ガスの圧力は０．２５〜０．４０ＭＰａであることを特徴とする。上記の第１１の観点の発明において、炭酸ガスの圧力を０．２５〜０．４０ＭＰａとすることにより、１ｍｍ以上の大きさのバブルを生成することが容易となる。これにより、給水された電解水に数十μｍ以下の大きさのバブルと１ｍｍ以上の大きさのバブルが混合した状態を生成することが容易となる。なお、従来のビールディスペンサーの通水洗浄に使用される通常の洗浄ボトルの耐圧は０．３ＭＰａ程度であるので、本観点の発明を実施する場合は、上記の炭酸ガスの使用圧力以上の耐圧の洗浄ボトルが必要となる。
【００２５】
第１３の観点では、本発明は、前記第３乃至台１２の観点の配管洗浄方法において、前記電解水は添加物を加えていない水道水を電気分解することにより得られた電解水であることを特徴とする。洗浄の目的とする配管が飲料水や食品の原料などを扱う配管である場合、添加物が配管内に残存する可能性を除くためには本発明に用いる電解水は添加物を含まない方が望ましいので、その場合には本観点の発明は有効である。
【００２６】
第１４の観点では、本発明は、前記第３乃至第１３のいずれかの観点の配管洗浄方法において、前記出水口を、前記気体のマイクロ・ナノバブルを含む電解水と前記気体とが混在した状態で通過し、前記出水口の断面積に占める前記マイクロ・ナノバブルを含む電解水と前記気体との割合が、時間的に３０％以上変動するように設定されていることを特徴とする。
【００２７】
様々な用途の洗浄においては、通常のマイクロ・ナノバブルと称する微細な気泡、すなわち大きさが１μｍ以下から１００μｍ程度のバブルのみを含む水を洗浄水とする場合よりも、マイクロ・ナノバブルを生成した水と気体とが混在した状態で出力し、その割合が時間的に変動するように設定した方が洗浄効果が大きいことが、本発明者らの実験により確認された。この理由は、１ｍｍ以上の大きな気体のバブルが混在した状態、または、気液二層流のスラグ流に近い状態でマイクロ・ナノバブルを生成した水が気体と混在して出力する状態に設定すると、マイクロ・ナノバブルによる汚れの除去や殺菌作用に加えて、大きな気体のバブルの存在により、被洗浄物への機械的な力、例えば圧力や振動が付加されることにより、洗浄効果が増大するためである。配管の洗浄においても、配管壁への機械的な振動や脈動が付加されることにより、洗浄効果が増大する。なお、上記の３０％以上の変動の具体例は、上記出水口の断面積に占めるマイクロ・ナノバブルを含む電解水と気体との割合が５〜３５：９５〜６５と９５〜６５：５〜３５との間で時間的に変動する場合等である。このようなマイクロ・ナノバブル発生器の出力状態の設定は、気体の導入口の大きさや気体の圧力、給水の圧力などの選択などにより実現可能である。  
【発明の効果】
【００２８】
上記のように、本発明により、バブルの大きさや数を広い範囲で調整することが可能で、かつ高い殺菌作用を有する洗浄水を出力可能なマイクロ・ナノバブル発生器及びそのマイクロ・ナノバブル発生器を用いた配管洗浄方法が得られる。
【図面の簡単な説明】
【００２９】
【図１】本発明によるマイクロ・ナノバブル発生器の実施例１の構造を示す断面図。
【図２】本発明によるマイクロ・ナノバブル発生器の実施例２の構造を示す断面図。
【図３】本発明によるマイクロ・ナノバブル発生器を用いた配管洗浄方法の実施例３を模式的に示す断面図。
【図４】本発明によるマイクロ・ナノバブル発生器を用いた配管洗浄方法の実施例４を説明するために示す模式的な構成図。
【図５】給水用ノズルとマイクロ・ナノバブル発生器、および配管の接続状態を模式的に示す断面図。
【図６】本発明によるマイクロ・ナノバブル発生器を用いた配管洗浄方法の実施例５を説明するために示す模式的な構成図。
【図７】本発明によるマイクロ・ナノバブル発生器を用いた配管洗浄方法の実施例６を説明するために示す模式的な構成図。
【図８】本発明によるマイクロ・ナノバブル発生器を用いた配管洗浄方法の実施例７を説明するために示す模式的な構成図。
【図９】本発明によるマイクロ・ナノバブル発生器を用いた配管洗浄方法の実施例８を説明するために示す模式的な構成図。
【図１０】ヘッド接続部の構造とディスペンスヘッドとの結合部の様子の一例を示す断面図。
【発明を実施するための形態】
【００３０】
以下、図面を参照して本発明のマイクロ・ナノバブル発生器及び配管洗浄方法を実施例により詳細に説明する。なお、図面の説明において同一の要素には同一符号を付し、その重複した説明を省略する。
【実施例１】
【００３１】
図１は、本発明によるマイクロ・ナノバブル発生器の実施例１を示す断面図である。図１において、本実施例のマイクロ・ナノバブル発生器１０は、給水口１１から給水された水に気体を混合して、その気体のマイクロ・ナノバブルを含んだ水を出水口１２から出力するマイクロ・ナノバブル発生器である。給水口１１から給水される水は、塩素イオンを含む水を電気分解することにより得られる電解水であって、出水口１２から前記気体のマイクロ・ナノバブルを含んだ電解水を出力する。給水口１１から出水口１２への水路方向に順に配置された第１の混合室１３と第２の混合室１４とを備えている。本実施例のマイクロ・ナノバブル発生器１０は、基本的に円筒形状を組み合わせた外形を有し、第１の混合室１３及び第２の混合室１４は中心軸１に対して対称な形状を有している。
【００３２】
第１の混合室１３は、水路の入口１３ａと出口１３ｂとの間に、入口１３ａおよび出口１３ｂよりも広い内部空間を有し、第２の混合室１４も、水路の入口１４ａと出口１４ｂとの間に、入口１４ａおよび出口１４ｂよりも広い内部空間を有している。図１においては、第１の混合室１３の出口１３ｂが第２の混合室１４の入口１４ａとなっている。また、第１の混合室１３は水路中に気体を送入する気体送入通路１５を備えている。
【００３３】
第１の混合室１３の内壁部は、その間に隙間１６を介して結合する構造体１７と構造体１８とを有し、第１の混合室１３の外壁部から内壁部に向かう穴により構成された気体送入口１９と気体送入口１９に通ずる隙間１６とから気体送入通路１５が構成されている。本実施例においては、構造体１８の位置を調整することにより隙間１６の間隔が調整可能に構成されている。その調整手段として、構造体１８とその外側の円筒体５との間にねじ構造を設け、そのねじを回して隙間１６を調整する構成としている。本実施例においては、隙間１６からの気体の送入方向は、内壁に沿って水路の方向に対して斜め前方に送入する構成となっている。
【００３４】
本実施例のマイクロ・ナノバブル発生器の具体的形状の一例としては、第１および第２の混合室の入口１３ａ、１４ａ、出口１３ｂ、１４ｂの口径は、１〜１０ｍｍ程度、第１の混合室１３および第２の混合室１４の中央空間の口径は１０〜５０ｍｍ程度であり、給水口１１から出水口１２までの長さは５０〜３００ｍｍ程度である。さらに具体的な形状の一例としては、第１の混合室の入口１３ａ、出口１３ｂ又は第２の混合室の入口１４ａ、第２の混合室の出口１４ｂの口径を、それぞれ、２．０ｍｍ、２．５ｍｍ、３．０ｍｍとし、水路の方向に従って出口側を大きくすることにより、流速を維持することも可能である。
【００３５】
次に、本実施例のマイクロ・ナノバブル発生器１０の動作を説明する。
電解水を蓄えた貯水槽などに接続された給水用の給水管や給水ホースを給水口１１に接続し、ポンプ等を用いて給水を行う。出水口１２には出力されたマイクロ・ナノバブルを含んだ電解水を洗浄水として被洗浄物まで導くための洗浄水配管または洗浄水ホースを接続する。このため、マイクロ・ナノバブル発生器１０の給水口１１および出水口１２の端部の内周または外周には接続用のねじ構造を設けてもよい。または、接続用のチャック機構などを設けてもよい。
【００３６】
気体送入口１９には使用する気体の配管やホースなどを接続する。給水管のバルブ等を開放すると、電解水が入力口１１より流入し、第１の混合室１３の入口１３ａより第１の混合室１３に流入する。同時に気体の供給路のバルブ等を開放し、気体送入口１９から第１の混合室１３の内壁部の隙間１６より気体を第１の混合室１３に供給し、給水された電解水と気体とを混合する。狭い入口および出口を有する第１の混合室１３の内部において形成される水流により気体と電解水が混合し、様々な大きさの気体のバブルを含んだ電解水となる。この様々な大きさの気体のバブルを含んだ電解水は第２の混合室１４の入口１４ａより第２の混合室１４に流入する。第２の混合室１４では、その室内に形成される水流により上記の気体のバブルが細かく粉砕され、マイクロ・ナノバブルが生成される。そのマイクロ・ナノバブルを含んだ電解水が出水口１２から出力する。
【００３７】
本実施例においては、気体の取り込みを第１の混合室１３で行い、マイクロ・ナノバブルの生成を主として第２の混合室１４で行うことにより、バブルの大きさや数の調整が可能となる。さらに、気体の圧力や隙間１６の大きさの選択により、第１の混合室１３において電解水と気体との混合比などを広い範囲で調整し、より大きなバブルを生成することが可能となる。これにより、１００μｍ以下の大きさのマイクロ・ナノバブルと１ｍｍ以上の大きさのバブルが混合したバブルを生成することができる。
【００３８】
マイクロ・ナノバブルを含んだ電解水と気体とが混在した状態で出力し、その割合が時間的に変動するように設定した方が洗浄効果が大きい場合がある。このような状態は、出水口の断面積に対してある程度の割合を占める大きなバブル、例えば１ｍｍ以上の大きな気体のバブルが混在した状態、または、気液二層流のスラグ流に近い状態でマイクロ・ナノバブルを生成した水が気体と混在して出力する状態である。この状態に設定すると、マイクロ・ナノバブル及び電解水による汚れの除去や殺菌作用に加えて、大きな気体のバブルの存在により、被洗浄物への機械的な力、例えば圧力や振動が付加されることにより、洗浄効果が増大するためである。配管の洗浄においても、配管壁への機械的な振動や脈動が付加されることにより、洗浄効果が増大する。
【００３９】
なお、出水口の断面積に占めるマイクロ・ナノバブルを含んだ電解水と前記気体との割合が時間的に３０％以上変動するように設定した場合に大きな洗浄効果が得られることを確認している。例えば、上記出水口の断面積に占めるマイクロ・ナノバブルを含んだ電解水と気体との割合が、５：９５と９５：５との間で時間的に変動する場合や３５：６５と６５：３５との間で時間的に変動する場合等である。このようなマイクロ・ナノバブル発生器の出力状態の設定は、隙間１６の大きさや気体の圧力、給水圧力の選択などにより実現可能である。
【００４０】
本実施例に使用する気体としては、空気、酸素、炭酸ガス、窒素、水素、オゾンなどが可能であり、本実施例に使用する電解水を製造するために用いる塩素イオンを含む水としては食塩などを添加した水や塩素イオンが含まれている水道水などであってもよい。それらの気体と電解水は洗浄の目的に合わせて選択される。例えば、使用する気体としては、油汚れの分離や除去の目的には空気を用い、食品機械や器具の洗浄の目的には炭酸ガスを用い、食材などの洗浄には窒素を用い、殺菌の目的にはオゾンを用いる等である。
【実施例２】
【００４１】
図２は、本発明によるマイクロ・ナノバブル発生器の実施例２を示す断面図である。図２において、本実施例のマイクロ・ナノバブル発生器２０は、給水口２１から給水された電解水に気体を混合して、その気体のマイクロ・ナノバブルを含んだ電解水を出水口２２から出力するマイクロ・ナノバブル発生器であって、給水口２１から出水口２２への水路方向に順に配置された第１の混合室２３と第２の混合室２４とを備えている。本実施例のマイクロ・ナノバブル発生器２０は、基本的に円筒形状を組み合わせた外形を有し、第１の混合室２３及び第２の混合室２４は中心軸１に対して対称な形状を有している。
【００４２】
第１の混合室２３は、水路の入口２３ａと出口２３ｂとの間に、入口２３ａおよび出口２３ｂよりも広い内部空間を有し、第２の混合室２４も、水路の入口２４ａと出口２４ｂとの間に、入口２４ａおよび出口２４ｂよりも広い内部空間を有している。図２においては、第１の混合室２３の出口２３ｂが第２の混合室２４の入口２４ａとなっている。また、第１の混合室２３は水路中に気体を送入する気体送入通路２５を備えている。
【００４３】
第１の混合室２３の内壁部は、その間に隙間２６を介して結合する構造体２７と構造体２８とを有し、第１の混合室２３の外壁部から内壁部に向かう穴により構成された気体送入口２９と気体送入口２９に通ずる隙間２６とから気体送入通路２５が構成されている。本実施例においては、構造体２８の位置を調整することにより隙間２６の間隔が調整可能に構成されている。その調整手段として、構造体２８とその外側の円筒体６との間にねじ構造を設け、そのねじを回して隙間２６を調整する構成としている。本実施例においては、実施例１とは異なり、隙間２６からの気体の送入方向は、内壁に沿って水路の方向に対して斜め後方に送入する構成となっている。
【００４４】
本実施例のマイクロ・ナノバブル発生器の具体的形状の一例としては、第１および第２の混合室の入口２３ａ、２４ａ、出口２３ｂ、２４ｂの口径は、１〜１０ｍｍ程度、第１の混合室２３および第２の混合室２４の中央空間の口径は１０〜５０ｍｍ程度であり、給水口２１から出水口２２までの長さは５０〜３００ｍｍ程度である。
【００４５】
実施例１と実施例２を比較すると、実施例１では、気体を混合室１に導入する際に、その気体を加圧する必要があるのに対し、実施例２では加圧の必要なく、大気圧の気体が水流により自動的に混合室１に吸引される構造である。このため、導入する気体の量を詳細に調整するためには、気体の圧力による調整が容易な実施例１の構成の方が適している。
【実施例３】
【００４６】
図３は、本発明によるマイクロ・ナノバブル発生器を用いた配管洗浄方法の実施例３を模式的に示す断面図である。図３において、本実施例の配管洗浄方法は、実施例１に記載のマイクロ・ナノバブル発生器１０と、マイクロ・ナノバブル発生器１０の給水口１１に設けた電解水の給水手段である給水管３１と、マイクロ・ナノバブル発生器１０の気体送入通路１５へ気体を送入する気体送入手段として気体送入口１９に接続されたガス配管３２とを備え、マイクロ・ナノバブル発生器１０の出水口１２に洗浄目的とする配管３３を接続体３４を介して接続している。マイクロ・ナノバブル発生器１０より出力する気体のマイクロ・ナノバブルを含んだ電解水により、配管３３を洗浄するものである。
【００４７】
本実施例において、洗浄効果を高めるため、マイクロ・ナノバブルを含んだ電解水と気体とが混在した状態で出力し、その割合が時間的に変動するように設定することができる。このためには、出水口１２の断面積に対してある程度の割合を占める大きなバブルが混在した状態でマイクロ・ナノバブルを含んだ電解水が気体と混在して出力するように設定する。この状態に設定すると、マイクロ・ナノバブルや電解水による汚れの除去や殺菌作用に加えて、大きな気体のバブルの存在により、配管３３の配管壁への機械的な振動や脈動が付加されることにより、洗浄効果が増大する。このような出力状態の設定は、マイクロ・ナノバブル発生器１０の隙間１６の大きさや気体圧力、給水圧力の選択などにより実現可能である。
【実施例４】
【００４８】
図４は、本発明によるマイクロ・ナノバブル発生器を用いた配管洗浄方法の実施例４を説明するために示す模式的な構成図である。図４において、本実施例では、マイクロ・ナノバブル発生器１０の給水口１１に設けた給水用ノズル４０と、給水用ノズル４０を収容して電解水４５を蓄えた洗浄ボトル４１とを有し、洗浄ボトル４１に蓄えた電解水４５が給水用ノズル４０を経由して給水口１１に供給されるように構成されている。マイクロ・ナノバブル発生器１０の出水口１２には接続体４４を介して洗浄の目的とする配管４３を接続し、マイクロ・ナノバブルを含んだ電解水により洗浄を行う。本実施例においては、洗浄ボトル４１は密閉され、気体導入口４２より気体を導入して洗浄ボトル４１内の気体の圧力を高めることにより、給水ノズル４０を介して給水口１１に電解水を送り込むと同時に、マイクロ・ナノバブル発生器１０の気体送入口１９に気体を送入する。図５は、給水用ノズルとマイクロ・ナノバブル発生器１０、および配管４３の接続状態を模式的に示す断面図である。
【００４９】
本実施例において使用する電解水は別に設けた電解水製造装置等で製造され、洗浄に必要な量が洗浄ボトル４１に収容される。洗浄ボトル４１への電解水の導入は、接続体４４とマイクロ・ナノバブル発生器１０等を取り外してそこから導入する方法や洗浄ボトル４１の別の個所に電解水の流入口を設ける方法がある。
【実施例５】
【００５０】
図６は、本発明によるマイクロ・ナノバブル発生器を用いた配管洗浄方法の実施例５を説明するために示す模式的な構成図である。図６において、本実施例では、実施例４と同様に、マイクロ・ナノバブル発生器１０の給水口１１に設けた給水用ノズル４０と、給水用ノズル４０を収容して電解水４５を蓄えた洗浄ボトル４１とを有し、マイクロ・ナノバブル発生器１０の出水口１２には接続体４４を介して洗浄の目的とする配管４３を接続し、洗浄ボトル４１を密閉し、気体導入口４２より気体を導入して洗浄ボトル４１内の気体の圧力を高めることにより、給水ノズル４０を介して給水口１１に電解水を送り込むと同時に、マイクロ・ナノバブル発生器１０の気体送入口１９に気体を送入する。但し、本実施例においては、洗浄ボトル４１は、電気分解用の電極５０を備え、洗浄ボトル４１内で電解水を生成する。電極５０は洗浄ボトル４１に設けた端子部５１の内側の端子に接続され、端子部５１の外側の端子が電源５２に接続され、電気分解用の電圧が供給される。
【００５１】
本実施例においては、最初に洗浄ボトル４１に入れる水は、電解水でなくとも、例えば水道水や食塩水などであってもよく、その水を電気分解して電解水４５を生成した後、配管４３の洗浄に用いればよい。
【実施例６】
【００５２】
図７は、本発明によるマイクロ・ナノバブル発生器を用いた配管洗浄方法の実施例６を説明するために示す模式的な構成図である。図７には記載されていないが、本実施例では、実施例４と同様に、マイクロ・ナノバブル発生器１０の給水口１１に設けた給水用ノズル４０と、給水用ノズル４０を収容して電解水４５を蓄えた洗浄ボトル４１とを有し、マイクロ・ナノバブル発生器１０の出水口１２には接続体４４を介して洗浄の目的とする配管４３を接続し、洗浄ボトル４１を密閉し、気体導入口４２より気体を導入して洗浄ボトル４１内の気体の圧力を高めることにより、給水ノズル４０を介して給水口１１に電解水を送り込むと同時に、マイクロ・ナノバブル発生器１０の気体送入口１９に気体を送入する。但し、本実施例においては、図７に示すように、電気分解用の電極６０を有する電気分解ユニット６２を洗浄ボトル４１へ取り付けて洗浄ボトル４１内において電解水４５を生成し、電解水４５の生成終了後に洗浄ボトル４１から電気分解ユニット６２を取り外す。電極６０は電気分解ユニット６２の上端に設けた端子部６１の内側の端子に接続され、端子部６１の外側の端子が電源５２に接続され、電気分解用の電圧が供給される。電気分解ユニット６２を取り外した後、図４のように、接続体４４とマイクロ・ナノバブル発生器１０、給水ノズル４０を設置する。
【００５３】
本実施例においても、最初に洗浄ボトル４１に入れる水は、電解水でなくとも、例えば水道水や食塩水などであってもよく、その水を電気分解して電解水４５を生成した後、配管４３の洗浄に用いればよい。
【実施例７】
【００５４】
図８は、本発明によるマイクロ・ナノバブル発生器を用いた配管洗浄方法の実施例７を説明するために示す模式的な構成図である。図８に示すように、本実施例では、マイクロ・ナノバブル発生器１０の給水口１１に設けた給水用ノズル５３と、給水用ノズル５３を収容して洗浄用の水５４を蓄えた洗浄ボトル４１とを有している。ここで、給水ノズル５３は水路中に設置された電極５５を有する電極ユニット５６と先端のノズル部５７とが一体となって構成され、ノズル部５７の入口から供給された洗浄用の水５４を電極ユニット５６により電気分解して電解水を生成し、その電解水をマイクロ・ナノバブル発生器１０の給水口１１に供給する。マイクロ・ナノバブル発生器１０の出水口１２には接続体５８を介して洗浄の目的とする配管４３を接続し、洗浄ボトル４１を密閉し、気体導入口４２より気体を導入して洗浄ボトル４１内の気体の圧力を高めることにより、給水ノズル５３を介して給水口１１に電解水を送り込むと同時に、マイクロ・ナノバブル発生器１０の気体送入口１９に気体を送入する。
【００５５】
本実施例においては、上記のように、電気分解用の電極ユニット５６を有し、その電極５５は接続体５８に内蔵された端子部５９の内側の端子に接続され、端子部５９の外側の端子が電源５２に接続され、電気分解用の電圧が供給される。
【００５６】
本実施例においては、最初に洗浄ボトル４１に入れる洗浄用の水５４は、電解水でなくとも、例えば水道水や食塩水などであってもよい。
【実施例８】
【００５７】
図９は、本発明によるマイクロ・ナノバブル発生器を用いた配管洗浄方法の実施例８を説明するために示す模式的な構成図である。本実施例の配管洗浄方法は、図９に示すように、炭酸ガス導入口８２とビール供給口８３とを有するディスペンスヘッド８１を図示されていないビール樽に取り付け、炭酸ガスの圧力によりビールをディスペンサー９０に供給するビール供給装置におけるディスペンスヘッド８１からディスペンサー９０の出力端のコック９１までのビール供給路の配管洗浄方法である。ディスペンスヘッド８１のビール樽の取り付け側に着脱可能なヘッド接続部８６と、ヘッド接続部８６に出水口１２を取り付けたマイクロ・ナノバブル発生器１０とを備え、洗浄ボトル４１はマイクロ・ナノバブル発生器１０及び給水用ノズル４０を収容してヘッド接続部８６の下部に取付けられている。
【００５８】
炭酸ガスの導入口８２から供給された炭酸ガスをヘッド接続部８６に設けられた炭酸ガス送出口８７より洗浄ボトル４１内に噴出させて、洗浄ボトル４１内の炭酸ガスの圧力を高めることにより、給水用ノズル４０からマイクロ・ナノバブル発生器１０に洗浄ボトル４１内の電解水４５を給水するとともに、マイクロ・ナノバブル発生器１０の気体送入口１９から気体送入通路１５に炭酸ガスを供給することにより炭酸ガスのマイクロ・ナノバブルを含む電解水からなる洗浄水を生成する。この洗浄水がビール供給路を通過するように、マイクロ・ナノバブル発生器１０の出水口１２からヘッド接続部８６に洗浄水を供給する。
【００５９】
次に、本実施例のビール供給経路の洗浄方法の手順について説明する。先ず、図９に示すように、ヘッド接続部８６にマイクロ・ナノバブル発生器１０及び給水ノズル４０を固定してそのヘッド接続部８６を洗浄ボトル４１に取り付け、その上部にディスペンスヘッド８１を取り付ける。次に炭酸ガスボンベ８４からの炭酸ガス配管９３をディスペンスヘッド８１の炭酸ガス導入口８２に接続する。ディスペンスヘッド８１のビールの供給口８３にディスペンサー９０に接続されたビール配管９４を接続する。次にレバー９５を押し下げ、炭酸ガスボンベ８４の開栓を行い、ディスペンサー９０に洗浄水の受容器を設置し、コック９１を開ける。これにより、炭酸ガスのマイクロ・ナノバブルを含む電解水により、ディスペンスヘッド８１からビール配管９４、冷却管９６を経由してディスペンサー９０の出力端のコック９１までのビール供給路の配管がすべて洗浄される。
【００６０】
図１０はヘッド接続部８６の構造とディスペンスヘッド８１との結合部の様子の一例を示す断面図である。図１０において、ディスペンスヘッド８１の内部の基本的な構造は２重のシリンダー構造となっており、内側の内部シリンダー７１内を通常はビール、本実施例においては洗浄水が通過する。外部シリンダー７２と内部シリンダー７１の間を炭酸ガスが通過する。図１０は、図９のレバー９５を押し下げた状態を示し、レバー９５の押し下げにより内部シリンダー７１が下方に移動し、炭酸ガスが外部シリンダー７２と内部シリンダー７１の間に導入されるように構成されている。外部シリンダー７２と内部シリンダー７１の間を通過した炭酸ガスは、ヘッド接続部８６に送入され、ヘッド接続部８６においては、マイクロ・ナノバブル発生部１０からヘッド接続部８６を通って内部シリンダー７１へ至る水路の周囲を密閉するゴムシール７５に開けられた通過穴８８を通って、炭酸ガス送出口８７に送られる。
【００６１】
本実施例においては、従来のディスペンサーの通水洗浄に用いられているものと同様な洗浄ボトルを使用でき、さらに、マイクロ・ナノバブルを含んだ電解水を用いることにより洗浄力および殺菌力を従来に比べ大幅に高めることができる。なお、本発明のマイクロ・ナノバブル発生器を用いた配管洗浄法をビール等の飲料の配管洗浄に用いる場合、洗浄後の飲料配管内への残存物の発生を防ぐためには、添加物を使用して製造した電解水は望ましくなく、添加物を用いない水道水等の電気分解による電解水が望ましい。
【００６２】
以上のように、本発明によるマイクロ・ナノバブル発生器では、電解水に含まれる気体のバブルの大きさや数を広い範囲で調整でき、様々な目的の洗浄において高い洗浄効果を得られるように設定することができる。また、本発明のマイクロ・ナノバブル発生器を配管の洗浄に用いることにより、バブルの大きさや数、電解水の種類や電解水と気体の混合比などを調整可能であるので、様々な配管の洗浄を最適な条件で行うことが可能となる。
【００６３】
なお、本発明は上記の実施例に限定されるものではないことは言うまでもなく、目的や用途に応じて設計変更可能である。例えば、実施例に示したマイクロ・ナノバブル発生器の構造や形状は一例にすぎず、第１の混合室および第２の混合室の形状、他の水路の形状、気体送入通路の形状など、目的に合わせて設計可能である。
【符号の説明】
【００６４】
１０、２０    マイクロ・ナノバブル発生器
１１、２１    給水口
１２、２２    出水口
１３、２３    第１の混合室
１３ａ、１４ａ、２３ａ、２４ａ    入口
１３ｂ、１４ｂ、２３ｂ、２４ｂ    出口
１４、２４    第２の混合室
１５、２５    気体導入通路
１６、２６    隙間
１７、１８．２７、２８    構造体
１９、２９    気体送入口
３１          給水管
３２          ガス配管
３３、４３    配管
３４、４４、５８    接続体
４０、５３    給水用ノズル
４１          洗浄ボトル
４２          気体導入口
５０、５５、６０    電極
５１、５９、６１    端子部
５２          電源
５４          洗浄用の水
５６          電極ユニット
５７          ノズル部
６２          電気分解ユニット
７１          内部シリンダー
７２          外部シリンダー
８１          ディスペンスヘッド
８２          炭酸ガス導入口
８３          ビール供給口
８４          炭酸ガスボンベ
８６          ヘッド接続部
８７          炭酸ガス送出口
８８          通過穴
９０          ディスペンサー
９１          コック
９３          炭酸ガス配管
９４          ビール配管
９５          レバー
９６          冷却管
【図１】
2019055373.tif 000003
【図２】
2019055373.tif 000004
【図３】
2019055373.tif 000005
【図４】
2019055373.tif 000006
【図５】
2019055373.tif 000007
【図６】
2019055373.tif 000008
【図７】
2019055373.tif 000009
【図８】
2019055373.tif 000010
【図９】
2019055373.tif 000011
【図１０】
2019055373.tif 000012